(57)【要約】【課題】最小限の固定ネジの締付本数で、鈑金部品の動きを確実に規制することが出来る空気調和装置の室外機を提供する。【解決手段】板金部品Ａ８と、前記板金部品Ａ８が取り付けられる板金部品Ｂ１０とを備え、前記板金部品Ａ８に引っ掛かり９ａを有する係止爪９を設け、前記板金部品Ｂ１０に前記引っ掛かり９ａが引っ掛けられる被引っ掛け部１０ａを設け、前記係止爪９の引っ掛かり９ａを前記被引っ掛け部１０ａに引っ掛けて、前記鈑金部品Ａ８の動きを規制するもので、金型構造の簡素化と金型投資の軽減を実現しながら、最小限の固定ネジ１１の締付本数で、鈑金部品Ａ８の動きを確実に規制することが出来る。【選択図】図３
2009287860.tif 000002
【特許請求の範囲】
【請求項１】
板金部品Ａと、前記板金部品Ａが取り付けられる板金部品Ｂとを備え、前記板金部品Ａに引っ掛かりを有する係止爪を設け、前記板金部品Ｂに前記引っ掛かりが引っ掛けられる被引っ掛け部を設け、前記引っ掛かりを前記被引っ掛け部に引っ掛けて、前記鈑金部品Ａの動きを規制することを特徴とした空気調和装置の室外機。
【請求項２】
係止爪を、板金部品Ａの従来のスクラップ部分に形成したことを特徴とした請求項１に記載の空気調和装置の室外機。
【請求項３】
係止爪に角度を付けて傾斜させたことを特徴とした請求項１又は２に記載の空気調和装置の室外機。
【請求項４】
鈑金部品Ａを鈑金部品Ｂに固定した時、係止爪の端面が前記板金部品Ｂに当接するようにしたことを特徴とした請求項１〜３のいずれか１項に記載の空気調和装置の室外機。
【発明の詳細な説明】
【技術分野】
【０００１】
本発明は、空気調和装置の室外機に関するもので、特に、室外機に使用される鈑金部品の動き規制に関するものである。
【背景技術】
【０００２】
従来の空気調和装置の室外機に組み込まれる鈑金部品の固定方法について、図５〜７を用いて説明する。
【０００３】
図５は、従来の空気調和装置の室外機の外観図、図６は、同室外機の２つの板金部品を固定するときの様子を示す部分分解斜視図である。
【０００４】
図５、６において、従来の空気調和装置の室外機の天井部を形成する板金部品Ａ１には、下方に突出する係止爪４が形成され、室外機の側面を形成すると共に板金部品Ａ１が取り付けられる板金部品Ｂ２には、係止爪４が係止される係止穴５が設けられ、板金部品Ｂ２に板金部品Ａ１を固定するときは、まず、板金部品Ａ１の係止爪４を、板金部品Ｂ２の係止穴５に挿入して、板金部品Ａ１の動きを規制した上で、固定ネジ３で、板金部品Ａ１と板金部品Ｂ２を固定するようになっていた（例えば、特許文献１参照）。
【０００５】
以上のように、従来の空気調和装置の室外機においては、図７に示すように、係止爪４により、固定ネジ３の位置を支点にし板金部品Ａ１がａ方向にズレるのを規制し、ｂ部に隙間が発生するのを防止している。
【特許文献１】特開２００１−２０８４１９号公報
【発明の開示】
【発明が解決しようとする課題】
【０００６】
しかしながら、前記従来の空気調和装置の室外機の構成では、可動を規制する為の固定ネジや、可動を規制する為に、一方の板金部品に係止穴を設け、他方の板金部品には、係止穴に挿入する係止爪を設けているため、ネジ本数増、締付け工数増、材料歩留まりが悪いという課題を有していた。
【０００７】
本発明は、前記従来の課題を解決するもので、金型構造の簡素化と金型投資の軽減を実現しながら、ネジの締付本数を最小限にして、鈑金部品の動きを確実に規制することが出来る空気調和装置の室外機を提供することを目的とする。
【課題を解決するための手段】
【０００８】
前記従来の課題を解決するために、本発明の空気調和装置の室外機は、板金部品Ａと、前記板金部品Ａが取り付けられる板金部品Ｂとを備え、前記板金部品Ａに引っ掛かりを有する係止爪を設け、前記板金部品Ｂに前記引っ掛かりが引っ掛けられる被引っ掛け部を設け、前記引っ掛かりを前記被引っ掛け部に引っ掛けて、前記鈑金部品Ａの動きを規制するもので、金型構造の簡素化と金型投資の軽減を実現しながら、最小限の固定ネジの締付本数で、鈑金部品の動きを確実に規制することが出来る。
【発明の効果】
【０００９】
本発明の空気調和装置の室外機は、金型構造の簡素化と金型投資の軽減を実現しながら、最小限の固定ネジの締付本数で、鈑金部品の動きを確実に規制することが出来る。
【発明を実施するための最良の形態】
【００１０】
第１の発明は、板金部品Ａと、前記板金部品Ａが取り付けられる板金部品Ｂとを備え、前記板金部品Ａに引っ掛かりを有する係止爪を設け、前記板金部品Ｂに前記引っ掛かりが引っ掛けられる被引っ掛け部を設け、前記引っ掛かりを前記被引っ掛け部に引っ掛けて、前記鈑金部品Ａの動きを規制するもので、金型構造の簡素化と金型投資の軽減を実現しながら、最小限の固定ネジの締付本数で、鈑金部品の動きを確実に規制することが出来る。
【００１１】
第２の発明は、特に、第１の発明の係止爪を、板金部品Ａの従来のスクラップ部分に形成したもので、材料歩留まりを良化させることができる。
【００１２】
第３の発明は、特に、第１又は第２の発明の係止爪に角度を付けて傾斜させたもので、係止爪の突出代を大きくすること無く、板金部品Ａの動きを確実に規制することができる。
【００１３】
第４の発明は、特に、第１〜３のいずれか一つの発明の鈑金部品Ａを鈑金部品Ｂに固定した時、係止爪の端面が前記板金部品Ｂに当接するようにしたもので、板金部品Ａと板金部品Ｂとのがたつきを確実に防止することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和装置の室外機の部分斜視図、図２は、同室外機の要部拡大斜視図、図３は、同室外機の要部分解斜視図である。
【００１６】
図１〜３において、本実施の形態における空気調和装置の室外機の天井を形成する板金部品Ａ８に、引っ掛かり９ａを有する係止爪９が下方に突出して形成されている。この係止爪９は、板金部品Ａ８の従来打ち抜き時にスクラップされる部分に形成されている。一方、室外機の側面を形成すると共に板金部品Ａ８が取り付けられる板金部品Ｂ１０の一部には、係止爪９の引っ掛かり９ａが引っ掛けられる略凹状の被引っ掛け部１０ａが形成され、更に、板金部品Ａ８を板金部品Ｂ１０に取り付けたときに、係止爪９の端面が板金部品Ｂ１０に当接するようにしている。１１は、板金部品Ａ８を板金部品Ｂ１０に固定するための固定ネジである。
【００１７】
板金部品Ａ８を板金部品Ｂ１０に取り付けるときは、まず板金部品Ａ８の係止爪９の引っ掛かり９ａを板金部品Ｂ１０に設けた被引っ掛け部１０ａに引っ掛けるようにして係止し、次に、固定ネジ１１で、板金部品Ａ８と板金部品Ｂ１０を固定する。
【００１８】
以上のように、本実施の形態によれば、板金部品Ａ８の係止爪９の引っ掛かり９ａを板金部品Ｂ１０に設けた被引っ掛け部１０に引っ掛けるようにして係止しているので、金型構造の簡素化と金型投資の軽減を実現しながら、固定ネジ１１の使用本数を最小限にして、板金部品Ａ８と板金部品１０間の動きを確実に規制することができる。
【００１９】
また、係止爪９を、板金部品Ａ８の従来スクラップになっていた部分を活用して設けているので、材料歩留まりを向上させることも出来る。
【００２０】
さらに、板金部品Ａ８を板金部品Ｂ１０に固定したときに、係止爪９の端面が板金部品Ｂ１０に当接するようにしているので、板金部品Ａ８と板金部品Ｂ１０間のがたつきを確実に防止することができる。
【００２１】
また、図４に示すように、係止爪９に角度を設けて傾斜させるようにすれば、係止爪９
の突出代を大きくすること無く、板金部品Ａ８の動きを確実に規制することができる。
【産業上の利用可能性】
【００２２】
以上のように本発明に係る空気調和装置の室外機は、最小限の固定ネジの締付本数で、鈑金部品の動きを確実に規制することが出来るもので、空気調和装置の室外機に限らず、本体外郭が板金部品で構成された各種機器に適用できる。
【図面の簡単な説明】
【００２３】
【図１】本発明の実施の形態１における空気調和装置の室外機の部分斜視図
【図２】同室外機の要部拡大斜視図
【図３】同室外機の要部分解斜視図
【図４】同室外機の他の例を示す要部分解斜視図
【図５】従来の空気調和装置の室外機の外観図
【図６】同室外機の２つの板金部品を固定するときの様子を示す部分分解斜視図
【図７】従来の空気調和装置の室外機の部分斜視図
【符号の説明】
【００２４】
８  鈑金部品Ａ
９  係止爪
９ａ  引っ掛かり
１０  板金部品Ｂ
１０ａ  被引っ掛け部
１１  固定ネジ
【図３】
2009287860.tif 000003
【図４】
2009287860.tif 000004
【図６】
2009287860.tif 000005
【図１】
2009287860.tif 000006
【図２】
2009287860.tif 000007
【図５】
2009287860.tif 000008
【図７】
2009287860.tif 000009